(57)【要約】【課題】駆動するための電源を太陽電池モジュールの発電電力から生成するパワーコンディショナであって、日射がなく太陽電池モジュールで発電が行われていない場合であっても太陽電池モジュールの発電に関する情報を確認可能なパワーコンディショナを得ること。【解決手段】パワーコンディショナ１３０は、太陽電池モジュール１１０から入力される直流電力を交流電力に変換するインバータ回路４２を有する本体部１３１と、太陽電池モジュール１１０の発電実績の情報を記憶する記憶部４５ａと、電磁波を携帯端末１４０から受けると電力が発生するアンテナ４５ｂを有し記憶部４５ａに記憶された太陽電池モジュール１１０の発電実績の情報を、アンテナ４５ｂで発生する電力を用いて近距離無線通信により携帯端末１４０に送信する近距離無線通信回路４５ｃと、を備える。【選択図】図１
2020054123.tif 000002
【特許請求の範囲】
【請求項１】
太陽電池モジュールから入力される直流電力を交流電力に変換するインバータ回路を有する本体部と、
前記太陽電池モジュールの発電実績の情報を記憶する記憶部と、
電磁波を無線端末から受けると電力が発生するアンテナを有し、前記記憶部に記憶された前記太陽電池モジュールの発電実績の情報を、前記アンテナで発生する前記電力を用いて近距離無線通信により前記無線端末に送信する近距離無線通信回路と、
を備えることを特徴とするパワーコンディショナ。
【請求項２】
前記本体部は、
前記直流電力を用いて前記パワーコンディショナが備える構成部に制御用電源を供給する制御電源回路と、
前記制御電源回路から供給される前記制御用電源を用いて駆動して前記太陽電池モジュールの発電実績の情報を表示する表示部と、
を備え、
前記太陽電池モジュールから前記直流電力が入力されない場合に、前記近距離無線通信回路が、前記アンテナで発生する前記電力を用いて起動し、前記記憶部に記憶された前記太陽電池モジュールの発電実績の情報を前記無線端末に送信すること、
を特徴とする請求項１に記載のパワーコンディショナ。
【請求項３】
前記本体部は、
前記直流電力の電圧を計測する電圧計測部と、
前記太陽電池モジュールの発電時において、前記電圧計測部で計測された前記直流電力の電圧が予め定められた閾値以下となった場合に、前記太陽電池モジュールの発電実績の情報を前記記憶部に記憶させる制御部と、
を備えることを特徴とする請求項２に記載のパワーコンディショナ。
【請求項４】
前記閾値は、前記制御電源回路が正常に動作する前記直流電力の電圧の下限値であること、
を特徴とする請求項３に記載のパワーコンディショナ。
【請求項５】
前記記憶部と前記近距離無線通信回路とが、前記本体部に設けられていること、
を特徴とする請求項１から４のいずれか１つに記載のパワーコンディショナ。
【請求項６】
前記記憶部と前記近距離無線通信回路とが、前記本体部に接続された外部表示端末に設けられていること、
を特徴とする請求項１から４のいずれか１つに記載のパワーコンディショナ。
【請求項７】
請求項１から６のいずれか１つに記載のパワーコンディショナと、無線端末と、を備え、
前記無線端末は、
前記アンテナに電磁波を送信し、前記近距離無線通信回路と近距離無線通信を行って前記太陽電池モジュールの発電実績の情報を受信する端末通信部と、
前記太陽電池モジュールの発電実績の情報を表示する端末表示部と、
を備えることを特徴とするパワーコンディショナシステム。
【発明の詳細な説明】
【技術分野】
【０００１】
本発明は、太陽電池モジュール用のパワーコンディショナおよびパワーコンディショナシステムに関する。
【背景技術】
【０００２】
太陽光発電システムにおいては、太陽電池モジュールで発電された直流電力を交流電力に変換して商用電力系統に出力するパワーコンディショナが用いられている。パワーコンディショナは、太陽電池モジュールの発電実績などの情報を表示するための表示部を備えている。表示部および表示部を制御する制御部などのパワーコンディショナが備える構成部を駆動する電源は、パワーコンディショナの電源回路を安価に構成するために、パワーコンディショナが備える電源回路において、太陽電池モジュールからパワーコンディショナに入力される直流電力から生成される。
【０００３】
しかし、日射が無く太陽電池モジュールで発電が行われていない夜間等では、太陽電池モジュールからパワーコンディショナに直流電力が入力されず、電源回路が稼働しない。このため、表示部の動作が停止するので昼間の太陽電池モジュールの発電実績を確認することができない。
【０００４】
そこで、特許文献１には、表示手段と、表示手段を制御する表示制御手段と、表示手段と表示制御手段とに制御用電源を供給する制御用電源手段とを有し、太陽光発電装置が発電をしていない夜間には商用電力系統から電力供給を受けて作成した電源により表示制御手段および表示手段に表示制御用電力を供給するパワーコンディショナが提案されている。上記の構成を有するパワーコンディショナは、商用電力系統から供給される電力から電源を生成することで、夜間における太陽電池モジュールの情報の表示を実現している。
【先行技術文献】
【特許文献】
【０００５】
【特許文献１】特開２００２−２３８１６０号公報
【発明の概要】
【発明が解決しようとする課題】
【０００６】
しかしながら、上記特許文献１の技術によれば、商用電力系統から制御用電源手段に電力を供給するための追加の電源回路が必要なため、追加の電源回路の実装スペースが必要となり、製品の小型化が困難である、という問題があった。
【０００７】
本発明は、上記に鑑みてなされたものであって、日射がなく太陽電池モジュールで発電が行われていない場合であっても太陽電池モジュールの発電に関する情報を提示可能であり小型化が可能なパワーコンディショナを得ることを目的とする。
【課題を解決するための手段】
【０００８】
上述した課題を解決し、目的を達成するために、本発明にかかるパワーコンディショナは、太陽電池モジュールから入力される直流電力を交流電力に変換するインバータ回路を有する本体部と、太陽電池モジュールの発電実績の情報を記憶する記憶部と、電磁波を無線端末から受けると電力が発生するアンテナを有し、記憶部に記憶された太陽電池モジュールの発電実績の情報を、アンテナで発生する電力を用いて近距離無線通信により無線端末に送信する近距離無線通信回路と、を備える。
【発明の効果】
【０００９】
本発明によれば、日射がなく太陽電池モジュールで発電が行われていない場合であっても太陽電池モジュールの発電に関する情報を提示可能であり小型化が可能なパワーコンディショナを得ることが可能になる、という効果を奏する。
【図面の簡単な説明】
【００１０】
【図１】本発明の実施の形態１にかかる太陽光発電システムの構成を示す模式図
【図２】本発明の実施の形態１にかかる処理回路のハードウェア構成の一例を示す図
【図３】本発明の実施の形態１にかかるパワーコンディショナの下面図
【図４】図３に示すパワーコンディショナの側面図
【図５】図３に示すパワーコンディショナの正面図
【図６】図３に示すパワーコンディショナから意匠パネルが外された状態を示す下面図
【図７】図４に示すパワーコンディショナから意匠パネルが外された状態を示す側面図
【図８】図５に示すパワーコンディショナから意匠パネルが外された状態を示す正面図
【図９】図３に示すパワーコンディショナのうち筐体の内部の構成を示す第１の図
【図１０】図３に示すパワーコンディショナのうち筐体の内部の構成を示す第２の図
【図１１】図３に示すパワーコンディショナと携帯端末との近距離無線通信について説明する図
【図１２】図３に示すパワーコンディショナが有する表示基板の平面図
【図１３】図３に示すパワーコンディショナが有する近距離無線通信回路と携帯端末とによる非接触通信が行われている様子を示す図
【図１４】本発明の実施の形態１の変形例にかかるパワーコンディショナが有するスイッチ基板の平面図
【図１５】本発明の実施の形態１にかかる携帯端末の機能構成を示す図
【図１６】図１に示す日射量の変化に対応した太陽電池モジュールの出力電圧と太陽電池モジュールの出力電力との関係の一例を示す特性図
【図１７】図１に示すパワーコンディショナにおいて記憶部に太陽電池モジュールの発電実績の情報を記録する処理を示すフローチャート
【図１８】図１に示すパワーコンディショナシステムにおいて、日射がなく太陽電池モジュールにおいて発電が行われていないときに携帯端末が、パワーコンディショナから太陽電池モジュールの発電実績を取得する処理を示すフローチャート
【図１９】本発明の実施の形態２にかかる太陽光発電システムの構成を示す模式図
【図２０】本発明の実施の形態２にかかる外部表示端末の機能構成を示す図
【図２１】図１９に示すパワーコンディショナにおいて太陽電池モジュールの発電実績の情報を外部表示端末の情報送信部の記憶部に記録する処理を示すフローチャート
【図２２】図１９に示すパワーコンディショナシステムにおいて、日射がなく太陽電池モジュールにおいて発電が行われていないときに携帯端末が、パワーコンディショナから太陽電池モジュールの発電実績を取得する処理を示すフローチャート
【発明を実施するための形態】
【００１１】
以下に、本発明の実施の形態にかかるパワーコンディショナおよびパワーコンディショナシステムを図面に基づいて詳細に説明する。なお、この実施の形態によりこの発明が限定されるものではない。
【００１２】
実施の形態１．
図１は、本発明の実施の形態１にかかる太陽光発電システム１００の構成を示す模式図である。図１における矢印は、電力の流れる方向を示している。図１に示すように、本実施の形態１にかかる太陽光発電システム１００は、太陽光発電システム用の太陽電池モジュール１１０と、太陽電池モジュール１１０に接続されたパワーコンディショナシステム１２０と、を備える。
【００１３】
太陽電池モジュール１１０は、例えば住宅の屋上に設置されている。太陽電池モジュール１１０は、太陽光を受光して発電を行う。具体的には、太陽電池モジュール１１０は、太陽光を受光して直流電力を発生させる。
【００１４】
パワーコンディショナシステム１２０は、パワーコンディショナ１３０と、近距離無線通信（Ｎｅａｒ  Ｆｉｅｌｄ  Ｃｏｍｍｕｎｉｃａｔｉｏｎ：ＮＦＣ）で情報の授受をさせる機能を備えた無線端末である携帯端末１４０と、を備える。
【００１５】
パワーコンディショナ１３０は、パワーコンディショナ１３０の外殻をなす、後述する金属製の筐体１を備える。すなわち、パワーコンディショナ１３０は、電力変換機能を有する構成部が筐体１に収納された本体部１３１を備える。太陽電池モジュール１１０とパワーコンディショナ１３０の本体部１３１とは、電気的に接続されている。太陽電池モジュール１１０で発電された直流電力は、パワーコンディショナ１３０に入力される。また、本体部１３１は、商用電力系統１５０にも電気的に接続されている。パワーコンディショナ１３０は、太陽電池モジュール１１０が発電した直流電力を交流電力へ変換して商用電力系統１５０へ逆潮流する。パワーコンディショナ１３０は、例えば屋外に設置される。なお、パワーコンディショナ１３０は、住宅内に設置されてもよい。
【００１６】
パワーコンディショナ１３０は、コンバータ回路４１と、インバータ回路４２と、制御回路４３と、表示回路４４と、情報送信部４５と、制御電源回路４６と、入力電圧センサ回路４７と、を有する。
【００１７】
コンバータ回路４１は、太陽電池モジュール１１０から出力される直流電力をあらかじめ定められた電圧に昇圧する。すなわち、コンバータ回路４１は、太陽電池モジュール１１０で発電されてコンバータ回路４１に入力される直流電力を昇圧して、昇圧した直流電力をインバータ回路４２に出力する。
【００１８】
インバータ回路４２は、コンバータ回路４１から出力される直流電力を、あらかじめ定められた電圧の交流電力に変換して、変換した交流電力を出力する。
【００１９】
制御回路４３は、コンバータ回路４１、インバータ回路４２および表示回路４４の制御を含むパワーコンディショナ１３０の全体の制御を司る。また、制御回路４３は、太陽電池モジュールの発電時において、太陽電池モジュール１１０の発電実績の情報を記憶している。そして、制御回路４３は、太陽電池モジュール１１０の発電時において入力電圧センサ回路４７で計測された直流電力の電圧が予め定められた閾値以下となった場合に、制御回路４３に記憶している太陽電池モジュール１１０の発電実績の情報を、後述する情報送信部４５の記憶部４５ａに記憶部に記憶させる。太陽電池モジュール１１０の発電実績の情報の一例は、太陽電池モジュール１１０の発電電力量、太陽電池モジュール１１０の運転時間、太陽電池モジュール１１０のエラー情報、太陽電池モジュール１１０の設定値などである。これらの太陽電池モジュール１１０の発電実績の情報は、制御回路４３において演算され、または計測され、または検出等されて制御回路４３に記憶されている。
【００２０】
表示回路４４は、制御回路４３に記憶されている太陽電池モジュール１１０の発電実績の情報を筐体１に設けられた後述する表示部７に表示させる制御を行う。表示回路４４は、制御回路４３に記憶されている太陽電池モジュール１１０の発電実績の情報を記憶してもよい。
【００２１】
情報送信部４５は、筐体１の外部の機器である携帯端末１４０との間の非接触通信を行う。近距離無線通信回路４５ｃは、ＮＦＣ規格の近距離無線通信機能を有する。すなわち、近距離無線通信回路４５ｃは、携帯端末１４０との間で近距離無線通信を行う。近距離無線通信回路４５ｃは、制御電源回路４６から制御電源が供給されていない状態において、携帯端末１４０がかざされると非接触給電されて近距離無線通信を行うことが可能な状態となる。情報送信部４５は、後述する図１２に示すように、記憶部４５ａと、アンテナ４５ｂを有する近距離無線通信回路４５ｃと、を備える。
【００２２】
記憶部４５ａは、太陽電池モジュール１１０の発電実績の情報を記憶する。記憶部４５ａは、太陽電池モジュール１１０から直流電力がパワーコンディショナ１３０に入力されない場合でも、記憶した発電実績の情報が消えないように、たとえば不揮発性のメモリによって構成される。
【００２３】
アンテナ４５ｂは、携帯端末１４０からの無線信号である電磁波の取り込みと近距離無線通信回路４５ｃからの無線信号である電磁波の放射とを行う。アンテナ４５ｂでは、携帯端末１４０から予め定められた周波数の電磁波である無線信号を受けると電力が発生する。
【００２４】
近距離無線通信回路４５ｃは、記憶部４５ａに記憶された太陽電池モジュール１１０の発電実績の情報を、アンテナ４５ｂで発生する電力を用いて携帯端末１４０に送信する近距離無線通信を行う。すなわち、近距離無線通信回路４５ｃは、携帯端末１４０から非接触給電されながら携帯端末１４０と通信する。
【００２５】
制御電源回路４６は、コンバータ回路４１、インバータ回路４２、制御回路４３、表示回路４４および入力電圧センサ回路４７といったパワーコンディショナ１３０が備える各構成部を駆動するために必要な電力、すなわち制御電源を生成する。すなわち、制御電源回路４６は、太陽電池モジュール１１０が発電した直流電力が入力される。制御電源回路４６は、太陽電池モジュール１１０から入力される直流電力から、各構成部を駆動するための制御電源を生成して、各構成部に出力する。なお、図１においては、制御電源回路４６から供給される制御電源の流れの表示の一部を省略している。
【００２６】
入力電圧センサ回路４７は、太陽電池モジュール１１０からコンバータ回路４１に入力される直流電力の電圧を計測する電圧計測部である。入力電圧センサ回路４７は、計測した電圧を制御回路４３に送信する。
【００２７】
また、制御回路４３は、例えば、図２に示したハードウェア構成の処理回路として実現される。図２は、本発明の実施の形態１にかかる処理回路のハードウェア構成の一例を示す図である。制御回路４３が図２に示す処理回路により実現される場合、制御回路４３は、例えば、図２に示すメモリ１０２に記憶されたプログラムをプロセッサ１０１が実行することにより、実現される。また、複数のプロセッサおよび複数のメモリが連携して上記機能を実現してもよい。また、制御回路４３の機能のうちの一部を電子回路として実装し、他の部分をプロセッサ１０１およびメモリ１０２を用いて実現するようにしてもよい。
【００２８】
また、コンバータ回路４１とインバータ回路４２と表示回路４４と近距離無線通信回路４５ｃとにおける各々の一部を、同様にメモリ１０２に記憶されたプログラムをプロセッサ１０１が実行することにより、実現されるように構成してもよい。
【００２９】
図３は、本発明の実施の形態１にかかるパワーコンディショナ１３０の下面図である。図４は、図３に示すパワーコンディショナ１３０の側面図である。図５は、図３に示すパワーコンディショナ１３０の正面図である。
【００３０】
筐体１は、前方が開放された直方体形状の箱体である金属製のケース３と、ケース３の前方を塞ぐ金属製の前面パネル２とからなる。なお、図３から図５に示すＸ軸、Ｙ軸およびＺ軸は、パワーコンディショナ１３０が設置された場合における方向を表す。Ｘ軸方向は左右方向、Ｙ軸方向は前後方向、Ｚ軸方向は鉛直方向とする。
【００３１】
前面パネル２には、樹脂製の意匠パネル４が取り付けられている。意匠パネル４には、表示部７が設けられている。表示部７は、太陽電池モジュール１１０の運転状態および太陽電池モジュール１１０の発電実績といった情報を表示する。表示部７は、たとえば液晶ディスプレイ装置によって実現される。ケース３の下面をなす下面部３ａには、樹脂製の意匠パネル５が取り付けられている。意匠パネル５には、スイッチ６が設けられている。
【００３２】
図６は、図３に示すパワーコンディショナ１３０から意匠パネル４，５が外された状態を示す下面図である。図７は、図４に示すパワーコンディショナ１３０から意匠パネル４，５が外された状態を示す側面図である。図８は、図５に示すパワーコンディショナ１３０から意匠パネル４，５が外された状態を示す正面図である。
【００３３】
前面パネル２には、矩形の開口９が設けられている。意匠パネル４は、筐体１の外側から開口９を覆う。図３から図５に示す意匠パネル４のＸ軸方向の寸法は、開口９のＸ軸方向の寸法よりも大きく、かつ、意匠パネル４のＺ軸方向の寸法は、開口９のＺ軸方向の寸法よりも大きい。意匠パネル４は、前面パネル２の前方から開口９を塞いで取り付けられる。
【００３４】
ケース３の下面部３ａには、矩形の開口８が設けられている。意匠パネル５は、筐体１の外側から開口８を覆う。図３および図４に示す意匠パネル５のＸ軸方向の寸法は、開口８のＸ軸方向の寸法よりも大きく、かつ、意匠パネル５のＹ軸方向の寸法は、開口８のＹ軸方向の寸法よりも大きい。意匠パネル５は、下面部３ａの下方から開口８を塞いで取り付けられる。
【００３５】
図９は、図３に示すパワーコンディショナ１３０のうち筐体１の内部の構成を示す第１の図である。図１０は、図３に示すパワーコンディショナ１３０のうち筐体１の内部の構成を示す第２の図である。図９には、ケース３のＸＺ断面と、筐体１の内部に設けられた各部を前方から見た状態とを示している。図１０には、前面パネル２および筐体１のＸＹ断面と、筐体１の内部に設けられた各部を下方から見た状態とを示している。なお、図９では、図９に示す構成よりも前方に配置される開口９と意匠パネル４とを破線により表している。
【００３６】
パワーコンディショナ１３０は、筐体１に収められている主回路部１０を有する。主回路部１０は、コンバータ回路４１およびインバータ回路４２を含む回路が実装されている基板１１を有する。主回路部１０は、コンバータ回路４１用またはインバータ回路４２用のリアクトル１２と、コンバータ回路４１用またはインバータ回路４２用のパワー半導体モジュール１３とを有する。
【００３７】
駆動によって高熱になる電子部品であるパワー半導体モジュール１３を有する主回路部１０が、金属製の筐体１に収められる。パワーコンディショナ１３０は、耐火性を備えた構造物である筐体１に主回路部１０を収めることができる。これにより、パワーコンディショナ１３０は、高い信頼性を確保することができる。
【００３８】
パワーコンディショナ１３０は、主回路部１０を制御するための制御回路４３が実装された制御基板１５と、制御電源回路４６が実装された制御電源基板１４とを有する。制御電源基板１４と制御基板１５とは、基板１１のうち前方へ向けられた面に設けられている。
【００３９】
表示基板１６は、筐体１の内部にて開口９に向かい合わせられて配置されている。表示基板１６には、太陽電池モジュール１１０の発電実績の情報を記憶する記憶部４５ａと、携帯端末１４０との間の近距離無線通信を行う近距離無線通信回路４５ｃと、図５に示す表示部７にて主回路部１０の駆動状態および太陽電池モジュール１１０の発電実績といった情報を表示するための表示回路４４とが実装されている。パワーコンディショナ１３０において異常が検出された場合に、表示回路４４は、異常が検出された項目を表すコードを表示部７にて表示する。表示回路４４は、その他、パワーコンディショナ１３０の運転状態などを表示部７にて表示する。
【００４０】
表示基板１６は、近距離無線通信回路４５ｃおよび表示回路４４よりも大きい電流を扱うコンバータ回路４１およびインバータ回路４２が実装される基板１１とは離して配置されている。制御電源基板１４と表示基板１６とは、配線２３を介して接続されている。
【００４１】
スイッチ基板１７は、筐体１の内部にて、図６に示す開口８に向かわせられて配置されている。スイッチ基板１７には、主回路部１０の駆動を操作するためのスイッチ６が実装されている。スイッチ基板１７は、基板１１とは離して配置されている。制御基板１５とスイッチ基板１７とは、配線２４を介して接続されている。
【００４２】
ベース板金２０とヒートシンク２１とは、筐体１の内部に設けられている。ヒートシンク２１は、ネジ２７によってベース板金２０に固定されている。基板１１は、ヒートシンク２１に支持されている。ヒートシンク２１は、リアクトル１２およびパワー半導体モジュール１３といった電子部品から発せられた熱を放熱させる。また、パワーコンディショナ１３０は、コンバータ回路４１およびインバータ回路４２の入出力のための配線が接続される端子台１８と、かかる配線が通される入線口２２とを有する。端子台１８は、ベース板金２０に取り付けられている。
【００４３】
パワーコンディショナ１３０は、表示基板１６のうち開口９へ向けられた側である前側以外の周囲を覆って筐体１の内部から開口９を塞ぐ、表示基板１６の固定用の樹脂製のカバー２５を有する。カバー２５は、前面パネル２のうち筐体１内の下側の面に取り付けられている。表示基板１６は、前面パネル２とカバー２５とによって囲われた空間に配置されている。表示基板１６が配置される空間は開口９において開放されており、意匠パネル４が開口９を覆うことによって閉ざされる。カバー２５は、主回路部１０が設けられている空間と表示基板１６が設けられている空間とを仕切る。なお、カバー２５は、前面パネル２に取り付けられる以外に、ケース３の下面部３ａに取り付けられても良い。カバー２５がケース３に取り付けられる場合も、前面パネル２とカバー２５とによって囲われる空間に表示基板１６を配置し得る。
【００４４】
また、表示基板１６は、カバー２５上に、表示基板１６の基板面が前面パネル２の内面に面した状態で、すなわち表示基板１６の基板面と前面パネル２の内面とが対向する状態で配置されている。
【００４５】
このとき、カバー２５を樹脂材料にて構成すると、表示基板１６の周囲に金属体が存在することに起因した無線通信の通信安定性の低下を改善でき、携帯端末１４０との間での近距離無線通信の通信安定性を向上させることができる。また、カバー２５に金属ケースを用いる場合は、可能な範囲で表示基板１６の基板面とカバー２５との距離を長くすることで、表示基板１６の周囲に金属体が存在することに起因した近距離無線通信の通信安定性の低下を抑制でき、携帯端末１４０との間での近距離無線通信の通信安定性を確保することができる。
【００４６】
パワーコンディショナ１３０は、スイッチ基板１７のうち開口８へ向けられた側である下側以外の周囲を覆って筐体１の内部から開口８を塞ぐ金属製のカバー２６を有する。カバー２６は、下面部３ａのうち筐体１内の下側の面に取り付けられている。スイッチ基板１７は、下面部３ａとカバー２６とによって囲われた空間に配置されている。スイッチ基板１７が配置される空間は開口８において開放されており、意匠パネル５が開口８を覆うことによって閉ざされる。カバー２６は、筐体１の内部を、主回路部１０が設けられている空間とスイッチ基板１７が設けられている空間とを仕切る。パワーコンディショナ１３０は、カバー２５，２６により筐体１内の空間が仕切られることにより、主回路部１０が設けられる空間を、耐火性を備えた構造物によって封止することができる。
【００４７】
図１１は、図３に示すパワーコンディショナ１３０と、携帯端末１４０との近距離無線通信について説明する図である。携帯端末１４０は、パワーコンディショナ１３０の外部の機器の一例であって、ＮＦＣ規格の近距離無線通信機能を有する機器とする。携帯端末１４０を把持している者が、図３から図５に示す意匠パネル４の前に携帯端末１４０をかざすことによって、近距離無線通信回路４５ｃとの近距離無線通信が可能な位置に携帯端末１４０が差し出される。これにより、表示基板１６の近距離無線通信回路４５ｃは、携帯端末１４０との近距離無線通信を行い得る。
【００４８】
図１２は、図３に示すパワーコンディショナ１３０が有する表示基板１６の平面図である。図１３は、図３に示すパワーコンディショナ１３０が有する近距離無線通信回路４５ｃと携帯端末１４０とによる非接触通信が行われている様子を示す図である。
【００４９】
表示基板１６には、表示回路４４と情報送信部４５とが実装されている。表示回路４４は、図５に示す表示部７の後方に配置されている。情報送信部４５は、図１２に示すように、記憶部４５ａと、アンテナ４５ｂを有する近距離無線通信回路４５ｃと、を備える。図１２では、表示基板１６のうち表示回路４４が実装されている領域と近距離無線通信回路４５ｃが実装されている領域とを破線により表している。また、図１２では、表示基板１６の前方に配置される開口９を破線により表している。
【００５０】
表示回路４４と近距離無線通信回路４５ｃとは、表示基板１６において、表示基板１６へ開口９を投影した場合における開口９の範囲内に収められている。パワーコンディショナ１３０は、表示回路４４が開口９の範囲内に設けられていることで、意匠パネル４の表示部７における表示を行い得る。
【００５１】
アンテナ４５ｂが開口９の範囲内に設けられていることで、近距離無線通信回路４５ｃは、筐体１の外部からの電磁波の取り込みと筐体１の外部への電磁波の放射とを開口９を通じて行い得る。樹脂製の意匠パネル４は、電磁波を透過させることが可能であって、近距離無線通信回路４５ｃによる非接触通信を妨げずに開口９を覆う。筐体１の外部と近距離無線通信回路４５ｃとの間において非接触通信は妨げられないため、パワーコンディショナ１３０は、筐体１の外部の機器との間の非接触通信を行うことができる。これにより、パワーコンディショナ１３０は、パワーコンディショナ１３０に記憶されている内部データである太陽電池モジュール１１０の発電実績の情報の近距離無線通信による収集が可能となる。
【００５２】
表示回路４４と近距離無線通信回路４５ｃとが共通の基板である表示基板１６に実装されることにより、１つの開口９の利用によって、表示回路４４による表示と近距離無線通信回路４５ｃによる非接触通信とを行い得る。パワーコンディショナ１３０は、表示のための開口と非接触通信のための開口とが別々に設けられる場合に比べて、前面パネル２に開口を形成するための工程を少なくすることができ、製造コストを低減できる。
【００５３】
パワーコンディショナ１３０は、表示回路４４と情報送信部４５とが実装された表示基板１６を有するものに限られない。情報送信部４５は、表示回路４４が実装された基板以外の基板に実装されても良い。図１４は、本発明の実施の形態１の変形例にかかるパワーコンディショナ１３０が有するスイッチ基板１７の平面図である。図１４に示す変形例では、情報送信部４５は、スイッチ基板１７に実装されている。図１４では、スイッチ基板１７の下方に配置される開口８を破線により表している。
【００５４】
図１１に示す携帯端末１４０を把持している者が、図３に示す意匠パネル５の下に携帯端末１４０をかざすことによって、近距離無線通信回路４５ｃとの近距離無線通信が可能な位置に携帯端末１４０が差し出される。これにより、近距離無線通信回路４５ｃは、携帯端末１４０との近距離無線通信を行い得る。
【００５５】
スイッチ６と近距離無線通信回路４５ｃとは、スイッチ基板１７へ開口８を投影した場合における開口８の範囲内に収められている。アンテナ４５ｂが開口８の範囲内に設けられていることで、近距離無線通信回路４５ｃは、筐体１の外部からの電磁波の取り込みと筐体１の外部への電磁波の放射とを開口８を通じて行い得る。樹脂製の意匠パネル５は、電磁波を透過させることが可能であって、近距離無線通信回路４５ｃによる近距離無線通信を妨げずに開口８を覆う。筐体１の外部と近距離無線通信回路４５ｃとの間において近距離無線通信は妨げられないため、パワーコンディショナ１３０は、筐体１の外部の機器との間の近距離無線通信を行うことができる。これにより、変形例においても、パワーコンディショナ１３０は、近距離無線通信による太陽電池モジュール１１０の発電実績の情報の収集が可能となる。
【００５６】
情報送信部４５とスイッチ６とが共通の基板であるスイッチ基板１７に実装されることにより、１つの開口８の利用によって、スイッチ６の配置と近距離無線通信回路４５ｃによる近距離無線通信とを行い得る。パワーコンディショナ１３０は、スイッチ６の配置のための開口と近距離無線通信のための開口とが別々に設けられる場合に比べて、下面部３ａに開口を形成するための工程を少なくすることができ、製造コストを低減できる。
【００５７】
情報送信部４５は、パワー半導体モジュール１３が実装される基板１１とは離れた基板に実装されていれば良く、表示基板１６およびスイッチ基板１７以外の基板に実装されても良い。パワーコンディショナ１３０は、表示回路４４と制御回路４３とが共通の基板に実装されても良い。情報送信部４５は、表示回路４４および制御回路４３と共通の基板に実装されても良い。
【００５８】
情報送信部４５が実装された基板において、近距離無線通信回路４５ｃは、筐体１の開口を当該基板へ投影した場合における開口の範囲内に、少なくともアンテナ４５ｂが収められていれば良い。近距離無線通信回路４５ｃに向かい合わせられる開口の寸法は、少なくとも、近距離無線通信回路４５ｃの平面視におけるアンテナ４５ｂの寸法よりも大きい。開口の範囲内にアンテナ４５ｂが収められていることで、アンテナ４５ｂから出力された電磁波は、開口を通って筐体１の外へ放射する。これにより、パワーコンディショナ１３０は、携帯端末１４０との非接触通信を行うことができる。
【００５９】
図１５は、本発明の実施の形態１にかかる携帯端末１４０の機能構成を示す図である。携帯端末１４０は、パワーコンディショナ１３０の近距離無線通信回路４５ｃと近距離無線通信して太陽電池モジュール１１０の発電実績の情報をパワーコンディショナ１３０から読みとることが可能な、近距離無線通信に対応したリーダー機能を備えた無線端末である。携帯端末１４０は、日射が無く太陽電池モジュール１１０で発電が行われていない夜間等にパワーコンディショナ１３０の近距離無線通信回路４５ｃと近距離無線通信し、太陽電池モジュール１１０の発電実績の情報をパワーコンディショナ１３０から取得することができる。携帯端末１４０は、パワーコンディショナ１３０専用の無線端末であってもよく、また、近距離無線通信に対応したユーザ所有のスマートフォンであってもよい。
【００６０】
携帯端末１４０は、端末操作部６１と、端末表示部６２と、リーダー部６３と、端末記憶部６４と、端末通信部６５と、端末制御部６６と、を備えている。
【００６１】
端末操作部６１は、ユーザから操作を受け付ける。端末操作部６１は、キーボードまたはタッチパネルディスプレイ等の入力機器によって実現される。
【００６２】
端末表示部６２は、ユーザから操作を受け付けるための操作情報、およびパワーコンディショナ１３０から取得した太陽電池モジュール１１０の発電実績の情報などの各種情報の表示を行う。端末表示部６２は、例えば液晶ディスプレイ装置によって実現される。
【００６３】
リーダー部６３は、パワーコンディショナ１３０の近距離無線通信回路４５ｃと近距離無線通信して太陽電池モジュール１１０の発電実績の情報をパワーコンディショナ１３０から読みとるリーダー機能部である。
【００６４】
端末記憶部６４は、ユーザから操作を受け付けた操作情報、携帯端末１４０の制御に用いられる情報、およびパワーコンディショナ１３０から取得した太陽電池モジュール１１０の発電実績の情報などの各種情報を記憶する。端末記憶部６４は、たとえば不揮発性のメモリによって構成される。
【００６５】
端末通信部６５は、外部の電子機器とのあいだでの各種の情報の送受信を行う。
【００６６】
端末制御部６６は、リーダー部６３の制御を含む、携帯端末１４０の動作全体を制御する。
【００６７】
携帯端末１４０は、パワーコンディショナ１３０から取得した太陽電池モジュール１１０の発電実績の情報を端末表示部６２に表示することができる。これにより、ユーザは、パワーコンディショナ１３０から取得した太陽電池モジュール１１０の発電実績の情報を、端末表示部６２の表示で確認することができる。また、携帯端末１４０は、パワーコンディショナ１３０から取得した太陽電池モジュール１１０の発電実績の情報を、端末通信部６５によって携帯端末１４０の外部の電子機器に送信することができる。これにより、ユーザは、パワーコンディショナ１３０から取得した太陽電池モジュール１１０の発電実績の情報を、電子機器で確認することができる。
【００６８】
また、端末制御部６６は、例えば、図２に示したハードウェア構成の処理回路として実現される。端末制御部６６が図２に示す処理回路により実現される場合、端末制御部６６は、例えば、図２に示すメモリ１０２に記憶されたプログラムをプロセッサ１０１が実行することにより、実現される。また、複数のプロセッサおよび複数のメモリが連携して上記機能を実現してもよい。また、端末制御部６６の機能のうちの一部を電子回路として実装し、他の部分をプロセッサ１０１およびメモリ１０２を用いて実現するようにしてもよい。
【００６９】
また、リーダー部６３と端末通信部６５とにおける各々の一部を、同様にメモリ１０２に記憶されたプログラムをプロセッサ１０１が実行することにより、実現されるように構成してもよい。また、リーダー部６３と端末通信部６５とにおける各々の一部を実現するためのプロセッサおよびメモリは、端末制御部６６を実現するプロセッサおよびメモリと同一であってもよいし、別のプロセッサおよびメモリであってもよい。
【００７０】
つぎに、パワーコンディショナシステム１２０において、日射がなく太陽電池モジュール１１０において発電が行われていないときにパワーコンディショナ１３０から太陽電池モジュール１１０の発電実績を確認する方法について説明する。
【００７１】
図１６は、図１に示す日射量の変化に対応した太陽電池モジュール１１０の出力電圧[Ｖ]と太陽電池モジュール１１０の出力電力[Ｗ]との関係の一例を示す特性図である。図１６においては、太陽電池モジュール１１０の出力電圧を横軸に、太陽電池モジュール１１０の出力電力を縦軸に示している。また、図１６においては、日射量が相対的に多い場合の太陽電池モジュール１１０の出力電圧と太陽電池モジュール１１０の出力電力との関係を示す特性曲線Ｃと、日射量が相対的に少ない場合の太陽電池モジュール１１０の出力電圧と太陽電池モジュール１１０の出力電力との関係を示す特性曲線Ｄと、を示している。
【００７２】
図１６に示すように、日射量の低下に伴って太陽電池モジュール１１０の発電量が低下すると、すなわち日射量の低下に伴って太陽電池モジュール１１０の出力電力が低下する。このため、日射量の低下に伴って太陽電池モジュール１１０の出力電力が低下すると、パワーコンディショナ１３０に入力される直流電力の入力電圧も併せて低下する。
【００７３】
パワーコンディショナ１３０は、上記のように制御回路４３などのパワーコンディショナ１３０の構成部を駆動するための制御電源を生成する制御電源回路４６を備えている。制御電源回路４６は、太陽電池モジュール１１０の発電電力から制御電源を生成してパワーコンディショナ１３０の各構成部に供給しているため、日射がなく太陽電池モジュール１１０において発電が行われていない夜間等では、太陽電池モジュール１１０からパワーコンディショナ１３０に直流電力が入力されず、制御電源回路４６が稼働しない。このため、パワーコンディショナ１３０は、機能が完全に停止している状態になり、昼間の太陽電池モジュール１１０の発電実績を表示部７で確認することができない。
【００７４】
パワーコンディショナシステム１２０は、太陽電池モジュール１１０において発電が行われていないときには、近距離無線通信による非接触給電によってパワーコンディショナ１３０の外部から得られる電力を用いて近距離無線通信回路４５ｃを起動し、近距離無線通信回路４５ｃとの通信により太陽電池モジュール１１０の発電実績の情報を携帯端末１４０で取得可能である。日射がなくなり太陽電池モジュール１１０において発電が行われていないときに太陽電池モジュール１１０の発電実績の情報を携帯端末１４０で取得するために、パワーコンディショナ１３０は、機能が停止するまえに太陽電池モジュール１１０の発電実績の情報を記憶部４５ａに記憶させる。
【００７５】
図１７は、図１に示すパワーコンディショナ１３０において記憶部４５ａに太陽電池モジュール１１０の発電実績の情報を記録する処理を示すフローチャートである。パワーコンディショナ１３０は、上述したように、太陽電池モジュール１１０からパワーコンディショナ１３０に入力される直流電力の入力電圧Ｖｓを計測する入力電圧センサ回路４７を有する。そこで、パワーコンディショナ１３０では、ステップＳ１０において、入力電圧センサ回路４７が、太陽電池モジュール１１０からパワーコンディショナ１３０に入力される直流電力の入力電圧Ｖｓを計測して、計測した入力電圧Ｖｓを制御回路４３に送信する。これにより、制御回路４３は、太陽電池モジュール１１０からパワーコンディショナ１３０に入力される直流電力の入力電圧を、常時監視することができる。
【００７６】
つぎに、ステップＳ２０において、制御回路４３は、入力電圧センサ回路４７によって計測された入力電圧が電圧閾値未満であるか否か、すなわち入力電圧Ｖｓ＜電圧閾値であるか否かを判定する。制御回路４３は、入力電圧センサ回路４７によって計測された入力電圧と、予め定められた電圧閾値と、を比較することにより、パワーコンディショナ１３０を駆動するための制御電源を維持できないレベルまで太陽電池モジュール１１０の発電量が低下したか否かを判定する。すなわち、制御回路４３は、入力電圧センサ回路４７によって計測された入力電圧と、制御回路４３が有する比較器４３ａに予め設定された電圧閾値とを比較して、太陽電池モジュール１１０の発電量がパワーコンディショナ１３０を駆動するための制御電源を維持できないレベルまで低下したか否かを判定する。
【００７７】
電圧閾値は、パワーコンディショナ１３０を正常に運転するための制御電源を維持できないレベルまで太陽電池モジュール１１０の発電量が低下したか否かを、制御回路４３が判定するための閾値である。すなわち、電圧閾値は、制御電源回路４６が正常に動作してパワーコンディショナ１３０の各構成部に制御電源を供給することができる、太陽電池モジュール１１０からパワーコンディショナ１３０に入力される直流電力の電圧の下限値である。電圧閾値は、予め制御回路４３に記憶されている。
【００７８】
入力電圧Ｖｓが電圧閾値未満であると判定された場合にはステップＳ２０においてＹｅｓとなり、制御回路４３は、ステップＳ３０に進む。入力電圧Ｖｓが電圧閾値以上であると判定された場合には、ステップＳ２０においてＮｏとなり、制御回路４３は、ステップＳ２０に戻る。
【００７９】
ステップＳ３０では、制御回路４３は、制御回路４３に記憶している太陽電池モジュール１１０の発電実績の情報を表示回路４４の記憶部４５ａに記憶させる。これにより、太陽電池モジュール１１０の発電実績の情報が記憶部４５ａに記録される。
【００８０】
つぎに、日射がなく太陽電池モジュール１１０において発電が行われていないときに、記憶部４５ａに記憶されている太陽電池モジュール１１０の発電実績をパワーコンディショナ１３０から取得する方法について説明する。図１８は、図１に示すパワーコンディショナシステム１２０において、日射がなく太陽電池モジュール１１０において発電が行われていないときに携帯端末１４０が、パワーコンディショナ１３０から太陽電池モジュール１１０の発電実績を取得する処理を示すフローチャートである。
【００８１】
リーダー部６３を起動させた携帯端末１４０がパワーコンディショナ１３０の意匠パネル４の前にかざされると、ステップＳ１１０において、表示基板１６の近距離無線通信回路４５ｃは、アンテナ４５ｂで発生する電力を用いて自動起動し、携帯端末１４０との近距離無線通信を行い得る状態になる。
【００８２】
つぎに、ステップＳ１２０において、近距離無線通信回路４５ｃは、記憶部４５ａに記憶された太陽電池モジュール１１０の発電実績の情報を近距離無線通信により携帯端末１４０に送信する。これにより、パワーコンディショナ１３０の本体部１３１は、携帯端末１４０に対して太陽電池モジュール１１０の発電実績の情報を提示することができる。
【００８３】
つぎに、ステップＳ１３０において、携帯端末１４０の端末通信部６５は、近距離無線通信回路４５ｃから近距離無線通信により送信された太陽電池モジュール１１０の発電実績の情報を受信する。端末通信部６５は、受信した太陽電池モジュール１１０の発電実績の情報をリーダー部６３に送信する。
【００８４】
つぎに、ステップＳ１４０において、リーダー部６３は、受信した太陽電池モジュール１１０の発電実績の情報を記憶するとともに端末表示部６２に表示させる。これにより、携帯端末１４０を把持している者は、パワーコンディショナ１３０から取得した太陽電池モジュール１１０の発電実績の情報を、端末表示部６２の表示で確認することができる。
【００８５】
上記において、制御電源回路４６がパワーコンディショナ１３０内におけるコンバータ回路４１よりも太陽電池モジュール１１０側の回路部から取り込んだ電力から制御電源を生成する場合について説明した。制御電源回路４６は、パワーコンディショナ１３０内における他の回路部から取り込んだ電力から制御電源を生成してもよい。たとえば、制御電源回路４６は、コンバータ回路４１とインバータ回路４２との間の回路部から取り込んだ電力から制御電源を生成する等、太陽電池モジュール１１０が発電した電力から制御電源を生成すればよい。
【００８６】
上述したように本実施の形態１にかかる太陽光発電システム１００のパワーコンディショナ１３０は、太陽電池モジュール１１０が発電しておりパワーコンディショナ１３０に太陽電池モジュール１１０の発電電力が入力されているときには、制御電源回路４６で生成された制御電源により駆動する。これにより、昼間に太陽電池モジュール１１０が発電を実施している場合は、表示部７で太陽電池モジュール１１０の発電実績の情報を確認できる。また、パワーコンディショナ１３０は、日射がなく太陽電池モジュール１１０が発電していないためパワーコンディショナ１３０に太陽電池モジュール１１０の発電電力が入力されていないときには、機能が停止して、表示部７において太陽電池モジュール１１０の発電実績の情報を確認できなくなる。
【００８７】
パワーコンディショナシステム１２０では、近距離無線通信回路４５ｃが、携帯端末１４０からの非接触給電可能な近距離無線通信を用いて、携帯端末１４０から電磁波を受信する際にアンテナ４５ｂで発生する電力により稼働して携帯端末１４０と近距離無線通信を行うことにより、太陽電池モジュール１１０の発電実績の情報を携帯端末１４０に送信することができる。すなわち、パワーコンディショナ１３０の本体部１３１は、日射がなく太陽電池モジュール１１０において発電が行われていない夜間等であって、太陽電池モジュール１１０によるパワーコンディショナ１３０の制御電源の生成が行われていない状態でも、携帯端末１４０に対して太陽電池モジュール１１０の発電実績の情報を提示することができる。
【００８８】
これにより、パワーコンディショナシステム１２０では、日射がなく太陽電池モジュール１１０において発電が行われていない夜間等であって、太陽電池モジュール１１０によるパワーコンディショナ１３０の制御電源の生成が行われていない状態でも、パワーコンディショナ１３０から太陽電池モジュール１１０の発電実績の情報を携帯端末１４０で取得することが可能となる。
【００８９】
したがって、パワーコンディショナ１３０は、日射がなく太陽電池モジュール１１０において発電が行われていない夜間等に表示回路４４を駆動するための制御電源を生成する必要がない。このため、パワーコンディショナ１３０は、太陽電池モジュール１１０において発電が行われていない夜間等に表示回路４４を駆動する制御電源を生成するための回路設備が不要である。
【００９０】
すなわち、パワーコンディショナ１３０は、たとえば商用電力系統１５０から電力を供給して制御電源回路４６を駆動させるための追加の設備が不要である。したがって、パワーコンディショナ１３０は、追加の設備の実装スペースが不要となり製品の小型化が可能であり、また追加の電源回路によるコストの増加がない。また、商用電力系統１５０から電力を供給して制御電源回路４６を駆動させるための追加の設備が不要であるため、電源が不要なときに商用電力系統１５０から制御電源回路４６を切り離すためのスイッチ回路等の設備も不要である。したがって、パワーコンディショナ１３０は、安価にパワーコンディショナを実現できる。
【００９１】
また、パワーコンディショナ１３０は、たとえば商用電力系統１５０からの制御電源回路４６に対する夜間の常時通電が不要となるため、制御電源回路４６およびパワーコンディショナ１３０の各構成部における待機消費電力を抑制することができる。
【００９２】
したがって、本実施の形態１によれば、駆動するための制御電源を太陽電池モジュール１１０の発電電力から生成するパワーコンディショナ１３０により、日射がなく太陽電池モジュール１１０で発電が行われていない場合であっても当日の昼間の太陽電池モジュール１１０の発電に関する情報を提示可能であり小型化が可能なパワーコンディショナを実現できる。そして、本実施の形態１によれば、パワーコンディショナシステム１２０により、日射がなく太陽電池モジュール１１０で発電が行われていない場合であっても当日の昼間の太陽電池モジュール１１０の発電に関する情報を確認可能となる。
【００９３】
実施の形態２．
図１９は、本発明の実施の形態２にかかる太陽光発電システム２００の構成を示す模式図である。図１９における矢印は、電力の流れる方向を示している。図１９に示すように、本実施の形態２にかかる太陽光発電システム２００は、太陽光発電システム用の太陽電池モジュール１１０と、太陽電池モジュール１１０に接続されたパワーコンディショナシステム１２１と、を備える。
【００９４】
パワーコンディショナシステム１２１は、パワーコンディショナ１３０の代わりにパワーコンディショナ１３２を備える点が、実施の形態１にかかるパワーコンディショナシステム１２０と異なる。
【００９５】
パワーコンディショナ１３２は、本体部１３１の代わりに本体部１３３を備え、本体部１３３に接続された外部表示端末１３４をさらに有する点が、実施の形態１にかかるパワーコンディショナ１３０と異なる。
【００９６】
本体部１３３は、表示基板１６に情報送信部４５を備えない点が、実施の形態１にかかる本体部１３１と異なる。
【００９７】
図２０は、本発明の実施の形態２にかかる外部表示端末１３４の機能構成を示す図である。外部表示端末１３４は、表示端末操作部７１と、表示端末表示部７２と、情報送信部４５と、表示端末制御部７３と、を備えている。すなわち、太陽光発電システム２００では、情報送信部４５が外部表示端末１３４に設けられている。
【００９８】
表示端末操作部７１は、ユーザから操作を受け付ける。表示端末操作部７１は、キーボードまたはタッチパネルディスプレイ等の入力機器によって実現される。
【００９９】
表示端末表示部７２は、ユーザから操作を受け付けるための操作情報、およびパワーコンディショナ１３２から取得した太陽電池モジュール１１０の発電実績の情報などの各種情報の表示を行う。端末表示部６２は、例えば液晶ディスプレイ装置によって実現される。
【０１００】
表示端末制御部７３は、情報送信部４５の制御を含む、外部表示端末１３４の動作全体を制御する。
【０１０１】
外部表示端末１３４は、情報送信部４５を備えており、日射がなく太陽電池モジュール１１０において発電が行われていない夜間等であって、太陽電池モジュール１１０によるパワーコンディショナ１３０の制御電源の生成が行われていない状態でも、パワーコンディショナ１３０から太陽電池モジュール１１０の発電実績の情報を携帯端末１４０に送信可能である。
【０１０２】
外部表示端末１３４の駆動用の電源は、太陽電池モジュール１１０が発電した電力により制御電源回路４６で生成され、表示回路４４を経由して、外部表示端末１３４へ供給される。
【０１０３】
図２１は、図１９に示すパワーコンディショナ１３２において太陽電池モジュール１１０の発電実績の情報を外部表示端末１３４の情報送信部４５の記憶部４５ａに記録する処理を示すフローチャートである。パワーコンディショナ１３２では、ステップＳ２１０において、上述したステップＳ１０と同様の処理が行われる。つぎに、ステップＳ２２０において、上述したステップＳ２０と同様の処理が行われる。つぎに、ステップＳ２３０において、上述したステップＳ３０と同様の処理が行われる。ここで、ステップＳ２３０では、制御回路４３は、制御回路４３に記憶している太陽電池モジュール１１０の発電実績の情報を外部表示端末１３４の情報送信部４５の記憶部４５ａに記憶させる。これにより、太陽電池モジュール１１０の発電実績の情報が記憶部４５ａに記録される。
【０１０４】
つぎに、日射がなく太陽電池モジュール１１０において発電が行われていないときに、外部表示端末１３４の情報送信部４５の記憶部４５ａに記憶されている太陽電池モジュール１１０の発電実績をパワーコンディショナ１３２から取得する方法について説明する。図２２は、図１９に示すパワーコンディショナシステム１２１において、日射がなく太陽電池モジュール１１０において発電が行われていないときに携帯端末１４０が、パワーコンディショナ１３２から太陽電池モジュール１１０の発電実績を取得する処理を示すフローチャートである。
【０１０５】
リーダー部６３を起動させた携帯端末１４０がパワーコンディショナ１３２の外部表示端末１３４の前にかざされると、ステップＳ３１０において、外部表示端末１３４の情報送信部４５の近距離無線通信回路４５ｃは、アンテナ４５ｂで発生する電力を用いて自動起動し、携帯端末１４０との近距離無線通信を行い得る状態になる。
【０１０６】
つぎに、ステップＳ３２０において、近距離無線通信回路４５ｃは、外部表示端末１３４の情報送信部４５の記憶部４５ａに記憶された太陽電池モジュール１１０の発電実績の情報を近距離無線通信により携帯端末１４０に送信する。これにより、パワーコンディショナ１３２の外部表示端末１３４は、携帯端末１４０に対して太陽電池モジュール１１０の発電実績の情報を提示することができる。
【０１０７】
つぎに、ステップＳ３３０において、携帯端末１４０の端末通信部６５は、近距離無線通信回路４５ｃから近距離無線通信により送信された太陽電池モジュール１１０の発電実績の情報を受信する。端末通信部６５は、受信した太陽電池モジュール１１０の発電実績の情報をリーダー部６３に送信する。
【０１０８】
つぎに、ステップＳ３４０において、リーダー部６３は、受信した太陽電池モジュール１１０の発電実績の情報を記憶するとともに端末表示部６２に表示させる。これにより、携帯端末１４０を把持している者は、パワーコンディショナ１３０から取得した太陽電池モジュール１１０の発電実績の情報を、端末表示部６２の表示で確認することができる。
【０１０９】
上述した本実施の形態２にかかる太陽光発電システム２００のパワーコンディショナ１３２は、太陽電池モジュール１１０が発電しておりパワーコンディショナ１３２に太陽電池モジュール１１０の発電電力が入力されているときには、制御電源回路４６で生成された制御電源により駆動する。これにより、昼間に太陽電池モジュール１１０が発電を実施している場合は、外部表示端末１３４に太陽電池モジュール１１０の発電実績の情報が送信され、表示端末表示部７２において太陽電池モジュール１１０の発電実績の情報を確認できる。また、パワーコンディショナ１３２は、日射がなく太陽電池モジュール１１０が発電していないためパワーコンディショナ１３２に太陽電池モジュール１１０の発電電力が入力されていないときには、外部表示端末１３４の機能が停止して、表示端末表示部７２において太陽電池モジュールの発電実績の情報を確認できなくなる。
【０１１０】
パワーコンディショナシステム１２１では、外部表示端末１３４の情報送信部４５の近距離無線通信回路４５ｃが、携帯端末１４０からの非接触給電を用いて稼働して携帯端末１４０と近距離無線通信を行うことにより、太陽電池モジュール１１０の発電実績の情報を携帯端末１４０に送信することができる。すなわち、パワーコンディショナ１３０の外部表示端末１３４は、日射がなく太陽電池モジュール１１０において発電が行われていない夜間等であって、太陽電池モジュール１１０によるパワーコンディショナ１３０の制御電源の生成が行われていない状態でも、携帯端末１４０に対して太陽電池モジュール１１０の発電実績の情報を提示することができる。
【０１１１】
これにより、パワーコンディショナシステム１２１では、実施の形態１にかかるパワーコンディショナシステム１２０と同様に、日射がなく太陽電池モジュール１１０において発電が行われていない夜間等であって、太陽電池モジュール１１０によるパワーコンディショナ１３２の制御電源の生成が行われていない状態でも、パワーコンディショナ１３２から太陽電池モジュール１１０の発電実績の情報を携帯端末１４０で取得することが可能となる。
【０１１２】
上述したように、本実施の形態２にかかるパワーコンディショナシステム１２１は、本実施の形態１にかかるパワーコンディショナシステム１２０と同様の効果を奏する。すなわち、パワーコンディショナ１３０は、夜間に太陽電池モジュール１１０の発電実績を外部表示端末１３４で確認するための、たとえば商用電力系統１５０から電力を供給して制御電源回路４６を駆動させるための追加の設備が不要である。したがって、パワーコンディショナ１３２は、外部表示端末１３４の小型化が可能であり、また追加の設備によるコストの増加がなく、小型且つ安価な外部表示端末１３４を実現できる。
【０１１３】
また、本実施の形態２にかかるパワーコンディショナシステム１２１は、屋外にパワーコンディショナ１３２の本体部１３３が設置されている場合でも、太陽電池モジュール１１０の発電実績を屋内にて常時確認することが可能となり、本体部１３３から離れた場所でも太陽電池モジュール１１０の発電実績の情報などの各種情報を確認できる。
【０１１４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０１１５】
１  筐体、２  前面パネル、３  ケース、３ａ  下面部、４，５  意匠パネル、６  スイッチ、７  表示部、８，９  開口、１０  主回路部、１１  基板、１２  リアクトル、１３  パワー半導体モジュール、１４  制御電源基板、１５  制御基板、１６  表示基板、１７  スイッチ基板、１８  端子台、２０  ベース板金、２１  ヒートシンク、２２  入線口、２３，２４  配線、２５，２６  カバー、２７  ネジ、４１  コンバータ回路、４２  インバータ回路、４３  制御回路、４３ａ  比較器、４４  表示回路、４５  情報送信部、４５ａ  記憶部、４５ｂ  アンテナ、４５ｃ  近距離無線通信回路、４６  制御電源回路、４７  入力電圧センサ回路、６１  端末操作部、６２  端末表示部、６３  リーダー部、６４  端末記憶部、６５  端末通信部、６６  端末制御部、７１  表示端末操作部、７２  表示端末表示部、７３  表示端末制御部、１００，２００  太陽光発電システム、１０１  プロセッサ、１０２  メモリ、１１０  太陽電池モジュール、１２０，１２１  パワーコンディショナシステム、１３０，１３２  パワーコンディショナ、１３１，１３３  本体部、１３４  外部表示端末、１４０  携帯端末、１５０  商用電力系統、Ｖｓ  入力電圧。
【図１】
2020054123.tif 000003
【図２】
2020054123.tif 000004
【図３】
2020054123.tif 000005
【図４】
2020054123.tif 000006
【図５】
2020054123.tif 000007
【図６】
2020054123.tif 000008
【図７】
2020054123.tif 000009
【図８】
2020054123.tif 000010
【図９】
2020054123.tif 000011
【図１０】
2020054123.tif 000012
【図１１】
2020054123.tif 000013
【図１２】
2020054123.tif 000014
【図１３】
2020054123.tif 000015
【図１４】
2020054123.tif 000016
【図１５】
2020054123.tif 000017
【図１６】
2020054123.tif 000018
【図１７】
2020054123.tif 000019
【図１８】
2020054123.tif 000020
【図１９】
2020054123.tif 000021
【図２０】
2020054123.tif 000022
【図２１】
2020054123.tif 000023
【図２２】
2020054123.tif 000024